(57)【要約】【課題】排埃装置つき携帯用電気サンダーの付属部品における、排埃口つきホルダーＡと排埃孔つき研磨シートブロックカセットＢとの一体化を計り、確実なる接合合体機能構造を求め、排埃、研磨の合理的解決を求める。【解決手段】排埃口つきホルダーＡに、ホルダー基盤１、排埃口２、排埃拡散防止パッキング３を施し、排埃装置つき携帯用電気サンダーに接続柱４〜７をもって接続。排埃孔つき研磨シートブロックカセットＢの研磨シートブロックカセット基盤１０、被研磨物保護の保護シート１１、研磨シート１２を、基盤、保護シート、研磨シートに貫通孔群１３を施し、研磨シートブロックカセット基盤１０の合体翼１４，１５をカセット受け溝８，９にスライド着装する機構、構造。【選択図】　　　図３
0003100238.tif 000002
【実用新案登録請求の範囲】
【請求項１】
この考案は、排埃口つきホルダー（Ａ）と排埃孔つき研磨シートブロックカセット（Ｂ）をスライド着装セットしてなる、システィム機構、構造をもつ排埃装置つき携帯用電気サンダー付属部品、排埃口つきホルダーと排埃孔つき研磨シートブロックカセットサンダーである。排埃口つきホルダー（Ａ）は、ホルダー基盤（１）を、排埃口つきホルダー（Ａ）の基本基盤とし、ホルダー基盤（１）の中央に排埃口（２）を設け、研磨に係る排埃を、ホルダー基盤（１）の外周部に設け、排埃の拡散を防止する排埃防止パッキング（３）を施し、排埃装置つき携帯用電気サンダー本体に接続する接続柱（４，５，６，７）を設け設置し、ホルダー基盤（１）両端のホルダー基盤裏側面に、ホルダーとしての機能のカセット受け溝（８，９）を、設けてなるシスティム機構化された排埃装置つき携帯装置つき電気サンダーの部品、排埃口つきホルダー（Ａ）の機構、構造。排埃孔つき研磨シートブロックカセット（Ｂ）は、排埃孔つき研磨シートブロックカセット基盤（１０）の両側面に鉄道レール切断面型状二枚翼形状、合体翼（１４，１５）を施し、研磨作業の際、被研磨物を保護する目的の保護シート（１１）を、研磨シートブロックカセット基盤（１０）と、研磨シート（１２）の間に挟み、即ち、研磨シートブロックカセット基盤（１０）、保護シート（１１）、研磨シート（１２）と接合、研磨シートブロックとし、カセット化する。研磨作業の際、発生する排埃を除去する吸い込み孔を、研磨シートブロックカセット基盤（１０）、保護シート（１１）、研磨シート（１２）に貫通孔群（１３）を研磨シートブロックに設けて、カセット化してなる機構構造。排埃孔つき研磨シートブロックカセットサンダー（Ｂ）である。排埃口つきホルダー（Ａ）に、排埃孔つき研磨シートブロックカセット（Ｂ）を、排埃口つきホルダー（Ａ）のカセット受け溝（８，９）に、研磨シートブロックカセット基盤（１０）の両側面、合体翼（１４，１５）を合わせ、スライド着装セットする。排埃口つきホルダー（Ａ）に排埃孔つき研磨シートブロックカセット（Ｂ）をスライド着装により、簡単取り替え可能機能を持つ。スライド着装による簡単取り替え着装後も、常に排埃を容易にし、研磨物を保護シートにより被研磨物を保護しつつ研磨をする特徴機能、構造を持つ排埃口つきホルダーと排埃孔つき研磨シートブロックカセットサンダー。
【請求項２】
排埃装置つき携帯用電気サンダーの付属部品、排埃口つきホルダー（Ａ）における、排埃孔つき研磨シートブロックカセット（Ｂ）のスライド着装受け入れる排埃口つきホルダー（Ａ）の機構、構造。
【請求項３】
排埃装置つき携帯用電気サンダーの付属部品、排埃孔つき研磨シートブロックカセット（Ｂ）における、排埃口つきホルダー（Ａ）にスライド着装する排埃孔つき研磨シートブロックカセット（Ｂ）の機構、構造。
【考案の詳細な説明】
【０００１】
【考案の属する技術分野】
本考案は、排埃装置つき携帯用電気サンダーに係わるもので、排埃装置つき携帯用電気サンダーの付属部品に、排埃口つきホルダー及び、排埃孔つき研磨シートブロックカセットを着装し、合体機能構造をもち、補充交換を、システィム機構をもって構造的、技術的解決を考えるものです。
【０００２】
【従来の技術】
従来の排埃用研磨シートは、単品化された排埃用孔あき研磨シートがある。排埃装置つき携帯用電気サンダーに直接、排埃用孔あき研磨シートを、手作業による着装、補充交換する際、排埃用孔あき研磨シートの着装、補充交換についても、すべて手による着装に頼らなければならない不便がある。排埃装置つき携帯用電気サンダーへの排埃用孔あき研磨シートの着装技術、着装方法に問題があり、構造的、機能的不備がみられる。排埃装置つき携帯用電気サンダーと排埃用孔あき研磨シートの別構造下にあり、手作業による排埃用孔あき研磨シート着装に際しては、排埃装置つき携帯用電気サンダーの排埃孔と、排埃用孔あき研磨シートの孔の位置関係のずれを招く場合があり、研磨の際に発生する発生粉の排埃作用の効率を妨げることがある。
【０００３】
【考案が解決しようとする課題】
従来の排埃用研磨シートは、単品化された排埃用孔あき研磨シートがある。排埃装置つき携帯用電気サンダーに直接、排埃用孔あき研磨シートを、手作業による着装、補充交換する際、排埃用孔あき研磨シートの着装、補充交換について、すべて手による着装に頼らなければならない不便があった。排埃装置つき携帯用電気サンダーへの排埃用孔あき研磨シートの着装技術、着装方法に問題があり、構造的、機能的不備がみられる。排埃装置つき携帯用電気サンダーと排埃用孔あき研磨シートの別構造下にあり、排埃用孔あき研磨シート着装に際し、排埃装置つき携帯用電気サンダーの排埃孔と排埃用孔あき研磨シートの孔の位置関係のずれを招く場合があり、研磨の際に発生する発生粉の排埃作用の効率を妨げることなどがあった。排埃装置つき携帯用電気サンダーに排埃用孔あき研磨シートを着装に際し、排埃装置つき携帯用電気サンダーと排埃用孔あき研磨シートの別構造下の着装技術、着装方法に問題があり、構造的、機能的不備、時間的ロスなどを解決手段としなければならない課題がある。
【０００４】
【課題を解決するための手段】
従来の排埃装置つき携帯用電気サンダーに排埃用孔あき研磨シート着装に際し、手による着装、補充交換の不便さ、排埃装置つき携帯用電気サンダーと排埃用孔あき研磨シートの別構造下による排埃孔のずれなどを解決する手段として、排埃装置の一体化を計り、本考案の排埃装置つき携帯用電気サンダー付属部品の、排埃口つきホルダー及び、排埃孔つき研磨シートブロックカセットのスライド着装による一体化による着装の簡略化を計り、利便性は計り知れない。課題の解決するための手段となる。
【０００５】
本考案の排埃装置つき携帯用電気サンダー付属部品の、排埃口つきホルダー及び、排埃孔つき研磨シートブロックカセットのスライド着装により、排埃装置つき携帯用電気サンダーと、排埃用孔あき研磨シートの排埃孔のずれを完全に無くすることが出来る。特に、排埃孔つき研磨シートブロックカセット部分の排埃孔は、カセット基盤、保護シート、研磨シートを貫通した貫通孔群の為、研磨に係る排埃孔群の研磨シートブロック基盤、保護シート、研磨シートの貫通孔群のずれは無く、排埃孔のずれは完全に解消され、研磨に係る排埃は、排埃孔つき研磨シートブロックカセットの排埃孔群を通過し、排埃口つきホルダーの排埃口を通り、排埃装置つき携帯用電気サンダーによる排埃となる。課題の解決するための手段となる。
【０００６】
図１、に示す排埃口つきホルダーＡの斜視図である。排埃口つきホルダーＡは、ホルダー基盤１に、ホルダーとしての機能のカセット受け溝８，９を設け、排埃孔つき研磨シートブロックカセットＢの研磨シートブロックカセット基盤１０の両側面の合体翼１４，１５を、ホルダー受け溝８，９にスライド着装セットする。即ち、排埃口つきホルダーＡのホルダー基盤１は、ホルダー受け溝８，９は硬質性を必要とし、排埃装置つき携帯用電気サンダー本体との接合、排埃口の設置などに欠かせない硬質性金属のホルダー基盤１からなる排埃口つきホルダーＡである。
【０００７】
図２、に示す排埃孔つき研磨シートブロックカセットＢの斜視図である。排埃孔つき研磨シートブロックカセットＢは、排埃口つきホルダーＡのホルダー基盤１のホルダー受け溝８，９にスライド着装セットする排埃孔つき研磨シートブロックカセット基盤１０の両側面の合体翼１４，１５をもつ。即ち、排埃孔つき研磨シートブロックカセットＢは、研磨シートブロックカセット基盤１０、保護シート１１と研磨シート１２に、排埃孔群を施し、排埃孔つき研磨シートのブロック化したもので、排埃孔つき研磨シートブロックカセットＢとしての機能、簡易性を必要とする。研磨シートブロックカセット基盤１０は、有粘硬質性素材をもとに型抜きし、保護シート１１と研磨シート１２を研磨シート１３を粘着しブロック化。研磨シートブロックカセット基盤１０、保護シート１１と研磨シート１２に排埃孔群１３を設け、排埃孔つき研磨シートブロックカセットＢとする。
【０００８】
図３は、排埃口つきホルダーＡと排埃孔つき研磨シートブロックカセットＢのスライド着装セット斜視図である。
【０００９】
本考案の、排埃口つきホルダーと排埃孔つき研磨シートブロックカセットサンダーは、排埃装置つき携帯用電気サンダーに適合する大きさである。他機携帯用サンダーにおいても、機能構造が適合すれば大きさは自在にかわる。
【００１０】
【考案の効果】
本考案は、上術のとおり構成されているので、次に記載する効果がある。請求項１、の請求におけるように、排埃装置つき携帯用電気サンダー付属部品として、排埃口つきホルダーに、排埃孔つき研磨シートブロックカセットを、スライド着装による簡単着装ができる。排埃口つきホルダーに、排埃孔つき研磨シートブロックカセットのカセットによる簡易着装は、研磨力を弱めたり、研磨シートの緩みのない排埃孔つき研磨シートブロックの着装が得られる。排埃孔つき研磨シートブロックカセットの補充着装などにも、敏速に着脱装の機能を持ち利便性、機能性等を満たす効果がある。
【００１１】
本考案の請求項２、排埃口つきホルダーに接合可能な、他サンダー実願２００３−１３４５の研磨シートブロックＡ構造のスライド着装の利用が可能である。研磨シートブロック構造、機構などをもつ排埃孔なし研磨シートブロックカセットの使用、利用などでも、排埃口つきホルダーとの接合、着装などが可能である。その利用応用範囲は広い。
【００１２】
本考案の、排埃孔つき研磨シートブロックカセットによる着脱装は、カセットによる着脱装にあたるため、従来研磨シート着装とくらべ、敏速正確なる着脱装ができる効果がある。研磨目的による研磨シートの自在選択が簡単選択でき、敏速正確にできるカセットによる交換機能発揮する。荒目研磨シート、細目研磨シート交換などの簡単利便性交換を含め、研磨目的別の研磨作業など果たす効果は計りしれない。
【００１３】
本考案の、排埃孔つき研磨シートブロックカセットは、カセット化による被研磨物への保護にも対応する。従来の研磨シート使用と変わりなく、被研磨物を保護する目的の保護シートにより保護する。排埃孔つき研磨シートブロックカセットは、研磨の他、保護目的の保護シートの挿入の特徴をもち、本考案の重要な要素である。排埃孔つき研磨シートブロックカセット着装、交換の際、常に新しいカセットとともに保護シートの交換につながり被研磨物を保護する機能がある。保護シートにより、常に、被研磨物を守りながらの研磨となる特徴をもつ。
【図面の簡単な説明】
【図１】排埃口つきホルダーの斜視図のイメージ図である。
【図２】排埃孔つき研磨シートブロックカセットの斜視図のイメージ図である。
【図３】排埃口つきホルダーに排埃孔つき研磨シートブロックカセットを、スライド着装セットしてなる、斜視図のイメージ図である。
【符号の説明】
Ａ　排埃口つきホルダー
Ｂ　排埃孔つき研磨シートブロックカセット
１　ホルダー基盤
２　排埃口
３　排埃防止パッキング
４　接続柱
５　接続柱
６　接続柱
７　接続柱
８　カセット受け溝
９　カセット受け溝
１０　研磨シートブロックカセット基盤
１１　保護シート
１２　研磨シート
１３　排埃孔群
１４　合体翼
１５　合体翼
【図１】
0003100238.tif 000003
【図２】
0003100238.tif 000004
【図３】
0003100238.tif 000005
【手続補正書】
【提出日】平成15年7月18日(2003.7.18)
【手続補正１】
【補正対象書類名】明細書
【補正対象項目名】実用新案登録請求の範囲
【補正方法】変更
【補正の内容】
【実用新案登録請求の範囲】
【請求項１】
この考案は、排埃口つきホルダー（Ａ）と排埃孔つき研磨シートブロックカセット（Ｂ）をスライド着装セットしてなる、システィム機構、構造をもち、排埃口つきホルダー（Ａ）は、ホルダー基盤（１）を、排埃口つきホルダー（Ａ）の基本基盤とし、ホルダー基盤（１）の中央に排埃口（２）を設け、研磨に係る排埃を、ホルダー基盤（１）の外周部内部に設け、排埃の拡散を防止する排埃防止パッキング（３）を施し、排埃装置つき携帯用電気サンダー本体に接続する接続柱（４，５，６，７）を設け設置し、ホルダー基盤（１）両端のホルダー基盤裏側面に、ホルダーとしての機能のカセット受け溝（８）、ホルダーとしての機能のカセット受け溝（９）両受け溝を設けてなるシスティム機構化された排埃装置つき携帯装置つき電気サンダーの部品、排埃口つきホルダー（Ａ）の機構、構造とし、排埃孔つき研磨シートブロックカセット（Ｂ）の、排埃孔つき研磨シートブロックカセット基盤（１０）の両側面に鉄道レール切断面型状二枚翼形状、合体翼（１４），（１５）を施し、研磨作業の際、被研磨物を保護する目的の保護シート（１１）を、研磨シートブロックカセット基盤（１０）と、研磨シート（１２）の間に挟み、研磨シートブロックカセット基盤（１０）、保護シート（１１）、研磨シート（１２）と接合、研磨シートブロックとし、カセット化し、研磨作業の際、発生する排埃を除去する吸い込み孔を、研磨シートブロックカセット基盤（１０）、保護シート（１１）、研磨シート（１２）に貫通孔群（１３）を研磨シートブロックに設け、排埃口つきホルダー（Ａ）のカセット受け溝（８）に、研磨シートブロックカセット基盤（１０）の両側面、合体翼（１４）を合わせ、排埃口つきホルダー（Ａ）のカセット受け溝（９）に、研磨シートブロックカセット基盤（１０）の両側面、合体翼（１５）を合わせ、排埃口つきホルダー（Ａ）のカセット受け溝（８）に、研磨シートブロックカセット基盤（１０）の両側面、合体翼（１４）を、排埃口つきホルダー（Ａ）のカセット受け溝（９）に、研磨シートブロックカセット基盤（１０）の両側面、合体翼（１５）を、それぞれスライド着装セットし、排埃口つきホルダー（Ａ）に排埃孔つき研磨シートブロックカセット（Ｂ）をスライド着装し、簡単取り替え可能機能を持ち、排埃口つきホルダー（Ａ）に排埃孔つき研磨シートブロックカセット（Ｂ）をスライド着装による簡単取り替え可能とし、着装後も、常に排埃を容易にし、研磨物を保護シートにより被研磨物を保護しつつ研磨をする特徴機能、構造を持つ排埃囗つきホルダーと排埃孔つき研磨シートブロックカセットサンダー。
【請求項２】
排埃口つきホルダーと排埃孔つき研磨シートブロックカセットサンダーにおける機構、構造の請求項１の、排埃孔つき研磨シートブロックカセット（Ｂ）の機構、構造。
【手続補正書】
【提出日】平成15年10月16日(2003.10.16)
【手続補正１】
【補正対象書類名】明細書
【補正対象項目名】実用新案登録請求の範囲
【補正方法】変更
【補正の内容】
【実用新案登録請求の範囲】
【請求項１】
この考案は、排埃口つきホルダー（Ａ）と排埃孔つき研磨シートブロックカセット（Ｂ）をスライド着装セットしてなる、システィム機構、構造を持つ、排埃孔つき研磨シートブロックカセット（Ｂ）であって、排埃孔つき研磨シートブロックカセット（Ｂ）の、排埃孔つき研磨シートブロックカセット基盤（１０）の両側面に、排埃口つきホルダー（Ａ）にスライド着装を容易に接合しえる機構でなる鉄道レール切断面型状二枚翼形状、合体翼（１４），（１５）を施し、研磨作業の際、被研磨物を保護する目的の保護シート（１１）を、研磨シートブロックカセット基盤（１０）と、研磨シート（１２）の間に挟み、研磨シートブロックカセット基盤（１０）、保護シート（１１）、研磨シート（１２）を接合して、研磨シートブロックとして、カセット化し、研磨作業の際に発生する排埃を除去する吸い込み孔を、研磨シートブロックカセット基盤（１０）、保護シート（１１）、研磨シート（１２）に、貫通孔群（１３）を施して形成し、貫通孔空き、排埃孔つき研磨シートブロックカセット（Ｂ）。
【請求項２】
請求項１記載の排埃孔つき研磨シートブロックカセット（Ｂ）を、排埃口つきホルダー（Ａ）にスライド着装セットしてなる、システィム機構、構造をもつ排埃口つきホルダーと排埃孔つきブロックカセットサンダーであり、排埃口つきホルダー（Ａ）は、ホルダー基盤（１）を、排埃口つきホルダー（Ａ）の基本基盤として、ホルダー基盤（１）の中央に排埃口（２）を設け、ホルダー基盤（１）の外周部内部に、排埃の拡散を防止する排埃防止パッキング（３）を施し、排埃装置つき携帯用電気サンダー本体に接続する接続柱（４，５，６，７）を設け、ホルダー基盤（１）両端のホルダー基盤裏側面に、ホルダーとしての機能のカセット受け溝（８）、（９）を設けてなるシスティム機構化された排埃装置つき携帯装置つき電気サンダーの部品であって、排埃口つきホルダー（Ａ）のカセット受け溝（８）、（９）に、研磨シートブロックカセット基盤（１０）の両側面、合体翼（１４）、（１５）を合わせて、排埃口つきホルダー（Ａ）のカセット受け溝（８）、（９）に、研磨シートブロックカセット基盤（１０）の両側面、合体翼（１４）、（１５）を、スライド着装セットして、排埃口つきホルダー（Ａ）に排埃孔つき研磨シートブロックカセット（Ｂ）をスライド着装し、簡単取り替え可能機能を持ち、着装後も常に排埃を容易にし、研磨物を保護シートにより、被研磨物を保護しつつ研磨をする特徴機能、構造を持つ排埃孔つき研磨シートブロックカセット（Ｂ）と、排埃口つきホルダー（Ａ）との接合合体された、排埃口つきホルダーと排埃孔つき研磨シートブロックカセットサンダー。